(57)【要約】【課題】車両内装品に新たな意匠を表現する。【解決手段】加飾パネル（7）がインストルメントパネル（1）に取り付けられた構造を有するインパネアセンブリ（8）において、加飾パネル（7）が、透光層（11）とその裏側に設けられた隠蔽層（9）とを備え、透光層（11）の外周端面（23）が加飾パネル（7）の外周縁部を構成するパネル外周縁面（27）を有し、パネル外周縁面（27）に、装飾部（39）が設けられ、透光層（11）の裏面（25）に、装飾部（39）に臨む内面（43）を呈して装飾部（39）に施された装飾（37）を映す投影面部（45）が形成されている。【選択図】図２
2018069993.tif 000002
【特許請求の範囲】
【請求項１】
被取付体（1）と、該被取付体（1）に取り付けられた加飾パネル（7）と、を備え、
前記加飾パネル（7）が、光が透過する透光層（11）と、該透光層（11）の裏側に設けられた隠蔽層（9）と、を備える車両内装品であって、
前記透光層（11）は、当該透光層（11）の厚さ方向において外部に臨む表面（21）と、該表面（21）に沿って当該透光層（11）の内方に臨む内面（22）を呈する外周端面（23）と、前記表面（21）と相対し且つ前記隠蔽層（9）側に臨む裏面（25）とを有し、
前記透光層（11）の外周端面（23）は、前記被取付体（1）に覆われた、前記加飾パネル（7）の外周縁部を構成するパネル外周縁面（27）を有し、
前記パネル外周縁面（27）と該パネル外周縁面（27）を覆う前記被取付体（1）の被覆面（33,35）とのうち少なくとも一方の面には、装飾（37）を施す装飾部（39）が設けられており、
前記透光層（11）の裏面（25）には、前記装飾部（39）に臨む内面（43）を呈して前記装飾部（39）の装飾（37）を映す投影面部（45）が形成されている
ことを特徴とする車両内装品。
【請求項２】
請求項１に記載された車両内装品において、
前記投影面部（45）は、前記透光層（11）の裏面（25）のうち前記パネル外周縁面（27）に沿って前記装飾部（39）と近接した位置に設けられている
ことを特徴とする車両内装品。
【請求項３】
請求項１又は２に記載された車両内装品において、
前記投影面部（45）の内面（43）は、前記装飾部（39）側に張り出した湾曲形状に形成されている
ことを特徴とする車両内装品。
【請求項４】
請求項１〜３のいずれか１項に記載された車両内装品において、
前記透光層（11）のうち前記投影面部（45）に対応する部分の厚さは、前記パネル外周縁面（27）側に向かうに連れて大きくなっている
ことを特徴とする車両内装品。
【請求項５】
請求項１〜４のいずれか１項に記載された車両内装品において、
前記透光層（11）は、透明な樹脂によって形成されている
ことを特徴とする車両内装品。
【請求項６】
請求項１〜４のいずれか１項に記載された車両内装品において、
前記透光層（11）は、半透明な樹脂によって形成されており、見る方向における厚さが大きい部分ほど暗く見える
ことを特徴とする車両内装品。
【請求項７】
請求項１〜６のいずれか１項に記載された車両内装品において、
前記透光層（11）は、樹脂成形部であり、
前記装飾部（39）の装飾（37）は、前記透光層（11）の前記パネル外周縁面（27）に直接形成された凹凸形状（41）からなる
ことを特徴とする車両内装品。
【請求項８】
請求項１〜６のいずれか１項に記載された車両内装品において、
前記装飾部（39）は、前記パネル外周縁面（27）と該パネル外周縁面（27）を覆う前記被取付体（1）の被覆面（33,35）とのうち少なくとも一方の面に設けられた、装飾用の模様を有する装飾模様部（71,81）と、該装飾模様部（71,81）を介して前記投影面部（45）に向けて発光する光源（83）と、を含む
ことを特徴とする車両内装品。
【発明の詳細な説明】
【技術分野】
【０００１】
本発明は、加飾パネルを備えた車両内装品に関する。
【背景技術】
【０００２】
車両内装品に用いられる加飾パネルには、隠蔽層として機能する着色不透明な基材の表面を無色透明な透光層で被覆してなる構造を有するものがある。このような加飾パネルに意匠性を付与する手段としては、透光層に覆われる基材の表面に造形模様をなす凹所を形成することにより、凹所の形成部分を他の部分に比べて暗色とすることが知られている（例えば、特許文献１参照）。
【先行技術文献】
【特許文献】
【０００３】
【特許文献１】特開昭６４−００１９３４号公報
【発明の概要】
【発明が解決しようとする課題】
【０００４】
近年、車両内装品の加飾パネルにおいては、形状や加飾が多様化しており、上述した基材の表面に凹所を設けるだけの手段では、表現できないような新たな意匠表現が求められている。
【０００５】
本発明は、斯かる点に鑑みてなされたものであり、その目的とするところは、車両内装品に新たな意匠を表現することにある。
【課題を解決するための手段】
【０００６】
上記の目的を達成するために、本発明は、透光層の外周端面やそれに臨む被取付体の面に装飾部を設け、その装飾部に施された装飾を透光層の裏面に映すようにした。
【０００７】
具体的には、本発明は、被取付体と、該被取付体に取り付けられた加飾パネルとを備え、前記加飾パネルが、光が透過する透光層と、該透光層の裏側に設けられた隠蔽層とを備える車両内装品を対象とし、以下の解決手段を講じたものである。
【０００８】
すなわち、第１の発明は、前記透光層が、当該透光層の厚さ方向において外部に臨む表面と、該表面に沿って当該透光層の内方に臨む内面を呈する外周端面と、前記表面と相対し且つ前記隠蔽層側に臨む裏面とを有する。前記透光層の外周端面は、前記被取付体に覆われた、前記加飾パネルの外周縁部を構成するパネル外周縁面を有する。前記パネル外周縁面と該パネル外周縁面を覆う前記被取付体の被覆面とのうち少なくとも一方の面には、装飾を施す装飾部が設けられている。そして、第１の発明は、前記透光層の裏面に、前記装飾部に臨む内面を呈して前記装飾部の装飾を映す投影面部が形成されていることを特徴とする。
【０００９】
第２の発明は、第１の発明の車両内装品において、前記投影面部が、前記透光層の裏面のうち前記外周端面に沿って前記装飾部と近接した位置に設けられていることを特徴とする。
【００１０】
第３の発明は、第１又は第２の発明の車両内装品において、前記投影面部の内面が、前記装飾部側に張り出した湾曲形状に形成されていることを特徴とする。
【００１１】
第４の発明は、第１〜第３の発明のいずれか１つの車両内装品において、前記透光層のうち前記投影面部に対応する部分の厚さが、前記パネル外周縁面側に向かうに連れて大きくなっていることを特徴とする。
【００１２】
第５の発明は、第１〜第４の発明のいずれか１つの車両内装品において、前記透光層が、透明な樹脂によって形成されていることを特徴とする。
【００１３】
第６の発明は、第１〜第４の発明のいずれか１つの車両内装品において、前記透光層が、半透明な樹脂によって形成されており、見る方向における厚さが大きい部分ほど暗く見えることを特徴とする。
【００１４】
第７の発明は、第１〜第６の発明のいずれか１つの車両内装品において、前記透光層が樹脂成形部である構成を有する。そして、第７の発明は、前記装飾部の装飾が、前記透光層の前記パネル外周縁面に直接形成された凹凸形状からなることを特徴とする。
【００１５】
第８の発明は、第１〜第６の発明のいずれか１つの車両内装品において、前記装飾部が、前記パネル外周縁面と該パネル外周縁面を覆う前記被取付体の被覆面とのうち少なくとも一方の面に設けられた、装飾用の模様を有する装飾模様部と、該装飾模様部を介して前記投影面部に向けて発光する光源と、を含むことを特徴とする。ここでいう「模様」とは、直線や曲線からなる線状の模様や、ストライプ模様、幾何学模様、ドット模様などの種々の模様の他、様々な絵柄や図形、文字、記号を含む。
【発明の効果】
【００１６】
第１の発明によれば、透光層のパネル外周縁面、それを覆う被取付体の被覆面、又はそれら両方の面に装飾部を設け、透光層の裏面にその装飾部の装飾を映す投影面部を形成するようにしたので、当該装飾の像を投影面部に映すことで透光層の中で浮き上がったように見せることができる。さらに、加飾パネルを見る方向に応じて装飾部に施された装飾の見え方に変化を持たせることができる。すなわち、加飾パネルを見る角度によっては、装飾部については直接は視認されずに投影面部に映る装飾の像だけが見えたり、投影面部に映る装飾の像と共に装飾部の装飾が直接に視認されたりする。それによって、車両内装品にユニークで斬新な意匠を実現することができる。
【００１７】
第２の発明によれば、透光層において投影面部を装飾部と近接した位置に設けるようにしたので、装飾部に施された装飾の像を投影面部になるべくはっきりと映すことができる。それによって、第１の発明の効果を好適に得ることができる。
【００１８】
第３の発明によれば、投影面部を透光層の内方に張り出す湾曲形状に形成するようにしたので、装飾部に施された装飾が投影面部の湾曲に沿う方向に引き延ばされて比較的広い範囲で投影面部に映り、投影面部に映る装飾の像を視認可能な加飾パネルに対する視線角度が広がって、当該装飾の像を視認されやすくすることができる。それによって、第１の発明の効果を好適に得ることができる。
【００１９】
第４の発明によれば、透光層の厚さを投影面部に対応する部分でパネル外周縁面側に向かうに連れて大きくするようにしたから、装飾部が設けられるパネル外周縁面の面積を比較的広く確保することができ、装飾の自由度を高めることができる。さらに、投影面部に映る装飾の像にパネル外周面側に近いほど比較的大きな奥行き感を持たせ、より立体的な意匠表現を車両内装品に実現することができる。
【００２０】
第５の発明によれば、透光層を透明な樹脂によって形成するようにしたので、透光層の投影面部に映る装飾の像が透光層の底（裏面）に透き通って視認され、立体的で鮮明な意匠表現を実現することができる。これにより、加飾パネルにシャープな印象を与え、車両内装品をスマートに見せることができる。
【００２１】
第６の発明によれば、透光層を半透明な樹脂によって形成し、見る方向における厚さが大きい部分ほど暗く見えるようにしたので、透光層に陰影を付けて、その陰影により重厚感のある意匠表現を実現することができる。
【００２２】
第７の発明によれば、透光層を樹脂成形部とし、装飾部の装飾を透光層のパネル外周縁面に直接形成された凹凸形状で構成するようにしたので、透光層の成形時に併せてパネル外周縁面に装飾を施すことができる。したがって、透光層に装飾を施すのに別途処理を必要とせず、装飾部を設けるのに手間がかからない。
【００２３】
第８の発明によれば、装飾部を光源から装飾模様部越しに投影面部に向けて光を照射する構成としたので、加飾パネルの透光層のうち投影面部をライトアップすると共に、光源からの光によって装飾模様部の模様を投影面部に射影することができる。それにより、夜間やトンネル内などの暗い環境における車両内装品の装飾性を高めて、車室内に高級感を演出することができる。
【図面の簡単な説明】
【００２４】
【図１】実施形態１に係る加飾パネルが取り付けられた自動車のインストルメントパネルの略左側半分を示す正面図である。
【図２】図１のII−II線における加飾パネル及びその取付け箇所の断面図である。
【図３】実施形態１に係る加飾パネルを裏面側から見た断面斜視図である。
【図４】実施形態１に係る加飾パネルの側面図である。
【図５】図２の視点Ａから見た加飾パネルの様子を示す正面図である。
【図６】図２の視点Ｂから見た加飾パネルの様子を示す斜視図である。
【図７】実施形態２に係る加飾パネルの図５相当図である。
【図８】実施形態２に係る加飾パネルの図６相当図である。
【図９】実施形態３に係る加飾パネル及びその取付け箇所の図２相当図である。
【図１０】実施形態４に係る加飾パネル及びその取付け箇所の図２相当図である。
【発明を実施するための形態】
【００２５】
以下、例示的な実施形態を図面に基づいて詳細に説明する。なお、以下の実施形態では、説明の便宜上、車両前後方向における前側を「前」、後側を「後」と称し、車両前方を向いて車幅方向における左側を「左」、右側を「右」と称し、車高方向における上側を「上」、下側を「下」と称する。
【００２６】
《発明の実施形態１》
図１に、加飾パネル７が取り付けられた自動車のインストルメントパネル１の略左側半分の正面図を示す。また、図２に、図１のII−II線における加飾パネル７及びその取付け箇所の断面図を示す。この実施形態１のインストルメントパネル１は、右ハンドル車用のパネルであって、その左側部分が助手席の前方に対応する。このインストルメントパネル１のうち下側位置には、図１に示すように、グローブボックス３が開閉可能に装着されている。
【００２７】
インストルメントパネル１のグローブボックス３上方には、図１及び図２に示すように、車幅方向において帯状に延びる横長の凹部からなるパネル装着部５が形成されている。このパネル装着部５には、自動車の内装材としてインテリア部位を構成する加飾パネル７が嵌め込んで装着されている。加飾パネル７は、正面視で横長の略矩形状に形成されており、パネル装着部５の開口を塞いでいる。
【００２８】
なお、インストルメントパネル１は、被取付体の一例である。また、インストルメントパネル１及び加飾パネル７は、車両内装品の一種であるインストルメントパネルアセンブリ（以下、「インパネアセンブリ」と略称する）８を構成している。
【００２９】
図３に、加飾パネル７を裏面側から見た断面斜視図を示す。図４に、加飾パネル７の側面図を示す。図５に、図２の視点Ａから見た加飾パネル７の様子を示す正面図を示す。また、図６に、図２の視点Ｂから見た加飾パネルの様子を示す斜視図を示す。加飾パネル７は、図２〜図６に示すように、加飾パネル７の裏側を隠蔽する隠蔽層として機能する基材９と、基材９の表面に設けられた、光が透過する透光層１１とを備える。
【００３０】
基材９は、ポリブチレンテレフタレート（ＰＢＴ：Polybutylene terephthalate）やポリエチレンテレフタレート（ＰＥＴ：Polyethylene terephthalate）などの、着色料（例えば顔料）を含有した有色不透明な樹脂によって形成された樹脂成形部であり、透光層１１の裏側に位置している。この基材９は、横長の帯板形状に形成されていて、上下方向において、表側（後方）に張り出すように湾曲し、中間位置で最も後方に迫り出している。基材９の裏側には、パネル装着部５にワンタッチで取付け可能な構成が設けられている。具体的には、基材９の前方に臨む裏面に、複数の係合爪１３（図２では１つのみ図示）が、それぞれ台座部１５を介して一体に設けられている。
【００３１】
これら複数の係合爪１３は、基材９の上下方向における中程に、加飾パネル７の長手方向に所定の間隔をあけて形成されている。係合爪１３には、片面に爪部を有する舌片１７が、コ字状のスリット１８に囲まれて比較的撓み易い状態で形成されている。一方、パネル装着部５の底面部分１９のうち係合爪１３に対応する部分には、係合孔２０がそれぞれ貫通させて形成されている。基材９は、各係合爪１３を対応する係合孔２０に舌片１７を撓ませながら挿入してその係合孔２０周縁に係合させることにより、パネル装着部５に取り付けられる。
【００３２】
透光層１１は、ポリカーボネート（ＰＣ：Polycarbonate）やポリメタクリル酸メチル樹脂（ＰＭＭＡ：Polymethyl methacrylate）などの無色透明な樹脂によって形成された樹脂成形部である。この透光層１１は、当該透光層１１の厚さ方向において外部に臨む表面２１と、その表面２１に沿って当該透光層１１の内方に臨む内面２２を呈する外周端面２３と、表面２１と相対する裏面２５とを有する。透光層１１の表面２１は、平坦な面に形成されている。他方、透光層１１の裏面２５は、上下方向において基材９の表面に倣って湾曲した面に形成されている。
【００３３】
透光層１１の厚さは、上下方向における中央から両端に向かうに連れて大きくなっている。透光層１１の外周端面２３は、全周に亘って加飾パネル７の外周縁部を構成するパネル外周縁面２７とされている。パネル外周縁面２７のうち上下両端面２９，３１は、パネル装着部５の上下方向に対峙する内側面３３，３５に覆われている。すなわち、透光層１１の上側端面２９はパネル装着部５の上側面３３に、透光層１１の下側端面３１はパネル装着部５の下側面３５にそれぞれ覆われている。
【００３４】
パネル外周縁面２７のうち下側端面３１には、装飾３７が施された装飾部３９が設けられている。装飾部３９の装飾３７は、透光層１１の下側端面３１に直接形成された複数（例えば３本）の線条凹部４１からなる。これら複数の線条凹部４１は、前後方向に間隔をあけて配置されており、車幅方向（左右方向）において互いに平行に真っ直ぐ延びている。線条凹部４１は、断面略Ｖ字状の切り込みのような溝からなり、透光層１１の下側端面３１に凹凸形状を構成している。
【００３５】
そして、透光層１１の裏面２５には、装飾部３９に臨む内面４３を呈して装飾部３９を映す投影面部４５（図２、図３及び図４で破線を付した範囲を含む裏面部分、このことは後に参照する図９及び図１０においても同じ）が形成されている。投影面部４５は、透光層１１の裏面２５のうちパネル外周縁面２７のうち下側端面３１に沿って装飾部３９と近接した位置に、透光層１１の車幅方向における全体に亘って帯状に設けられている。
【００３６】
この投影面部４５の内面４３は、透光層１１の裏面２５が湾曲した面であることにより、装飾部３９側に張り出した湾曲形状に形成されている。このように、投影面部４５の内面４３が湾曲形状であると、装飾部３９の装飾３７が投影面部４５の湾曲に沿う方向に引き延ばされて比較的広い範囲で投影面部４５に映り、投影面部４５に映る装飾３７の像を視認可能な加飾パネル７に対する視線角度が広がるので、当該装飾３７の像を視認されやすくなる。
【００３７】
透光層１１のうちその投影面部４５に対応する部分の厚さは、透光層１１の厚さが上下方向における中央から両端に向かうに連れて大きくなっていることに従い、パネル外周縁面２７に向かうに連れて大きくなっている。そして、透光層１１の厚さ、つまり前後方向における奥行きは、パネル外周縁面２７において最大となっている。そのことで、装飾部３９が設けられる下側端面３１の面積が比較的広く確保されている。
【００３８】
このような構成の加飾パネル７では、透光層１１裏面２５の投影面部４５に装飾部３９に施された装飾３７の像１０１（図５に示す）が映ると、装飾３７の像１０１が透光層１１の中で浮き上がったように見え、装飾部３９の装飾３７を直接視認した場合とは異なる見え方で装飾３７が見える。そして、装飾部３９の装飾３７及び投影面部４５に映る装飾３７の像１０１の見え方は、加飾パネル７を見る方向に応じて変化する。
【００３９】
具体的には、図２の視点Ａから加飾パネル７を見たときには、図５に示すように、装飾部３９の装飾３７が角度的に直接は視認され難く、装飾部３９の装飾３７については投影面部４５に映る装飾３７の像１０１だけが見える。また、図２の視点Ｂから加飾パネル７を見たときには、図６に示すように、投影面部４５に映る装飾３７の像１０１が角度的に視認され難く、装飾部３９の装飾３７については装飾３７そのものが直接に見える。また、視点Ａと視点Ｂとの間から加飾パネル７を見たときには、装飾部３９に施された装飾３７の全体又は一部と投影面部４５に映る装飾３７の像１０１との両方が見える。
【００４０】
前述した加飾パネル７は、例えば、基材９及び透光層１１を同一型内で一体に成形する２色成形によって製造される。装飾３７をなす複数の線条凹部４１は、２色成形を行う成形型においてパネル外周縁面２７を成形する面に線条凹部４１に対応する数の突条部を設けておくことにより、透光層１１の成形時に併せて形成することができる。このようにすることで、透光層１１に装飾３７を施すのに別途処理を必要とせず、装飾部３９を設けるのに手間がかからない。
【００４１】
加飾パネル７を２色成形によって製造する場合には、透光層１１を成形した後に続けて基材９を成形することが好ましい。これは、基材９の成形後に透光層１１を成形すると、基材９の不透明な樹脂材料が透光層１１に滲むから、そうした透光層１１での異質材料の滲みを防止するためである。なお、加飾パネル７は、２色成形によって製造される他、基材９と透光層１１とを別々に成形した後に両者を貼り合わせる等の方法によって製造することも可能である。
【００４２】
−実施形態１の効果−
この実施形態１に係るインパネアセンブリ８によると、透光層１１のパネル外周縁面２７に設けられた装飾部３９の装飾３７を投影面部４５に映すことで透光層１１の中で浮き上がったように見せることができる。しかも、上述の如く、加飾パネル７を見る方向に応じて装飾部３９の装飾３７及び投影面部４５に映る装飾３７の像１０１の見え方に変化を持たせることができる。それによって、従来から知られた意匠性を付与する手立てでは得られないユニークで斬新な意匠をインパネアセンブリ８に実現することができる。
【００４３】
そして、この実施形態１に係るインパネアセンブリ８では、透光層１１の投影面部４５に映る装飾３７の像が透明な透光層１１の底（裏面）に透き通って視認されるので、立体的で鮮明な意匠表現を実現することができる。これにより、加飾パネル７にシャープな印象を与え、インパネアセンブリ８をスマートに見せることができる。
【００４４】
《発明の実施形態２》
この実施形態２に係るインパネアセンブリ８は、透光層１１の構成が上記実施形態１に係るインパネアセンブリ８と異なる。なお、以降の各実施形態では、透光層１１又は装飾部３９の構成が上記実施形態１と異なる他はインパネアセンブリ８について上記実施形態１と同様に構成されているので、インパネアセンブリ８のうち構成の異なる部分についてのみ説明し、同一の構成箇所は図１〜図６に基づく上記実施形態１の説明に譲ることにして、その詳細な説明を省略する。
【００４５】
図７に、この実施形態２に係る加飾パネル７の図５相当図を示す。また、図８に、この実施形態２に係る加飾パネル７の図６相当図を示す。上記実施形態１では、透光層１１が無色透明な樹脂によって形成されているとしたが、この実施形態２では、図７及び図８に示すように、透光層１１は、例えばスモーク色の半透明な樹脂によって形成されている。透光層１１の厚さは、上記実施形態１と同様に、上下方向における中央から両端に向かうに連れて大きくなっている。
【００４６】
このような透光層１１は、見る方向における厚さが厚い部分ほどスモーク色が濃くなり暗く見える。それによって、透光層１１は、上下方向における中央部分で最もスモーク色が薄くて明るく見え、中央から上下両端に向かうに従い、スモーク色が次第に濃くなって暗くなるため、全体として上下方向にグラデーションがかって見える。
【００４７】
−実施形態２の効果−
この実施形態２に係るインパネアセンブリ８によると、透光層１１に上下方向における中央から両端に向かって次第に暗くなるグラデーションを表し、上下方向においてスモーク色が濃くなるほど奥行きが増すような奥行き感が得られる。このような透光層１１の陰影によって重厚感のある意匠表現をインパネアセンブリ８に実現することができる。その他については、上記実施形態１に係るインパネアセンブリ８と同様な効果を得ることができる。
【００４８】
《発明の実施形態３》
図９に、この実施形態３に係る加飾パネル７及びその取付け箇所の図２相当図を示す。上記実施形態１に係るインパネアセンブリ８では、透光層１１の下側端面３１に複数の線条凹部４１からなる装飾３７が施された装飾部３９が設けられているとしたが、この実施形態３に係るインパネアセンブリ８では、図９に示すように、インストルメントパネル１のパネル装着部５の下側面３５に装飾部３９として装飾プレート７１が設けられている。装飾プレート７１は、装飾模様部の一例である。
【００４９】
具体的には、パネル装着部５の下側面３５のうち透光層１１の下側端面３１に対向する部分に、下方に凹んだ凹所７２が、車幅方向における略全体に亘って形成されている。この凹所７２には、装飾プレート７１が嵌め込まれて固定されている。装飾プレート７１は、帯板状に形成された樹脂製の基材７３を備え、その基材７３の凹所７２外に臨む表面に装飾３７が施されてなる。装飾３７は、印刷や塗装によって描画された装飾用の模様７５である。模様７５は、互いに平行に延びる直線状の複数（例えば３本）のラインからなるストライプ模様などである。
【００５０】
この装飾プレート７１の装飾３７が施された表面は、加飾パネル７の透光層１１の下側端面３１に全面で密着している。そのことにより、上記実施形態１と同様に、透光層１１の投影面部４５には装飾プレート７１の装飾３７が映り、装飾３７の像１０１が透光層１１の中で浮き上がったように見える。そして、装飾部３９の装飾３７及び投影面部４５に映る装飾３７の像１０１の見え方は、上記実施形態１で説明したように、加飾パネル７を見る方向に応じて変化する。
【００５１】
−実施形態３の効果−
この実施形態３に係るインパネアセンブリ８によっても、上記実施形態１に係るインパネアセンブリ８と同様な作用が奏されて、従来から知られた意匠性を付与する手立てでは得られないユニークで斬新な意匠をインパネアセンブリ８に実現することができる。
【００５２】
《発明の実施形態４》
図１０に、この実施形態４に係る加飾パネル７及びその取付け箇所の図２相当図を示す。上記実施形態１に係るインパネアセンブリ８では、透光層１１の下側端面３１に複数の線条凹部４１からなる装飾３７が施された装飾部３９が設けられているとしたが、この実施形態４に係るインパネアセンブリ８では、図１０に示すように、インストルメントパネル１のパネル装着部５の上側面３３に装飾部３９としての装飾プレート８１及び光源としてのＬＥＤ（Light emitting diode）８３が設けられている。
【００５３】
具体的には、パネル装着部５の上側面３３のうち透光層１１の上側端面に対向する部分に、上方に凹んだ凹所８４が、車幅方向における略全体に亘って形成されている。この凹所８４には、装飾プレート８１及びＬＥＤ８３が嵌め込まれて固定されている。ＬＥＤ８３は、横長に形成されたフラットバー状の外形を有する面発光タイプのものであり、凹所８４の底面に固定されている。装飾プレート８１は、そのＬＥＤ８３の下方に臨む表面に積層されている。
【００５４】
装飾プレート８１は、透明な樹脂製の基材８５を備え、その基材８５の凹所８４外に臨む表面に装飾３７が施されてなる。装飾３７は、印刷や塗装によって描画された装飾用の模様８７である。模様８７は、互いに平行に延びる直線状の複数（例えば３本）のラインからなるストライプ模様などである。装飾プレート７１は、装飾模様部の一例である。
【００５５】
この装飾プレート８１の装飾３７が施された表面は、加飾パネル７の透光層１１の上側端面２９に全面で密着している。そのことにより、上記実施形態１と同様に、透光層１１の投影面部４５には装飾プレート８１の装飾３７が映り、装飾３７の像１０１が透光層１１の中で大きめに浮き上がったように見える。そして、装飾部３９の装飾３７及び投影面部４５に映る装飾３７の像１０１の見え方は、上記実施形態１で説明したように、加飾パネル７を見る方向に応じて変化する。
【００５６】
さらに、このような構成のインパネアセンブリ８では、ＬＥＤ８３が点灯（発光）すると、そのＬＥＤ８３からの光が装飾プレート８１越しに投影面部４５に向けて照射され、投影面部４５がライトアップされる。このとき、装飾プレート８１のうち模様８７が付与されていない部分は光を透過させる一方、装飾プレート８１の模様８７はＬＥＤ８３からの光を遮るから、ライトアップと同時に、投影面部４５にはその模様８７が投影される。
【００５７】
−実施形態４の効果−
この実施形態４に係るインパネアセンブリ８によると、加飾パネル７の透光層１１のうち投影面部４５をライトアップすると共に、ＬＥＤ８３からの光によって装飾プレート８１の模様８７をその投影面部４５に映すことができる。これにより、夜間やトンネル内などの暗い環境におけるインパネアセンブリ８の装飾性を高めて、車室内に高級感を演出することができる。その他については、上記実施形態１に係るインパネアセンブリ８と同様な効果を得ることができる。
【００５８】
以上のように、本発明の例示として、好ましい実施形態について説明した。しかし、本発明は、これに限定されず、適宜、変更、置き換え、付加、省略などを行った実施の形態にも適用可能である。また、上記実施形態１〜４で説明した各構成要素を組み合わせて新たな実施の形態とすることも可能である。また、添付図面及び詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【００５９】
例えば、上記実施形態１〜４について、以下のような構成としてもよい。
【００６０】
上記実施形態１及び２では、透光層１１の下側端面３１に設けられる装飾部３９の装飾３７として直線状に形成された複数の線条凹部４１を例示したが、これに限らない。当該装飾３７は、ヘアライン模様やシボ模様などのその他の凹凸形状であってもよい。また、装飾部３９は、透光層１１の上側端面２９に設けていてもよいし、上下両端面２９，３１に設けていても構わない。さらに、装飾部３９は、透光層１１の左右方向における両端面のうち少なくとも一方の面に設けてもよい。
【００６１】
さらに、装飾部３９は、装飾用の別物のプレートを貼り付けたり、水圧転写やフィルムインサート、単色ベタ塗りの塗装、印刷などの他の公知の方法によって装飾３７を形成したりすることで設けていてもよい。例えば、単色ベタ塗りの塗装を装飾部３９の設け方として採用した場合には、加飾パネル７を見る方向に応じて透光沿う１１の投影面部４５に装飾３７としてのベタ塗り塗装面が映り、加飾パネル７の色が変化して見える。装飾３７は、上述した凹凸形状からなる模様に代えて、幾何学模様やドット模様などの種々の模様の他、様々な絵柄や図形、文字、記号であってもよい。
【００６２】
また、上記実施形態３では、パネル装着部５の下側面３５に装飾部３９として装飾プレート７１が取り付けられた形態を例に挙げて説明したが、これに限らない。装飾プレート７１は、パネル装着部５の上側面３３に取り付けていてもよいし、パネル装着部５の上側面３３及び下側面３５の両方に取り付けるようにしても構わない。さらに、装飾プレート７１は、パネル装着部５の左右方向における両側面のうち少なくとも一方の面（例えば図１に示す側面３４）に取り付けてもよい。また、装飾部３９は、装飾プレート７１に代えて、パネル装着部５の上側面３３、下側面３５及び左右両側面のうち少なくとも１つの面に凹凸形状からなる装飾３７を施すことで設けてもよい。
【００６３】
また、上記実施形態４では、パネル装着部５の上側面３３に装飾部３９として装飾プレート８１及びＬＥＤ８３が取り付けられた形態を例に挙げて説明したが、これに限らない。これら装飾プレート８１及びＬＥＤ８３は、パネル装着部５の下側面３５に取り付けてもよいし、パネル装着部５の上側面３３及び下側面３５の両方に取り付けても構わない。さらに、装飾プレート８１及びＬＥＤ８３は、パネル装着部５の左右方向における両側面のうち少なくとも一方の面に取り付けても構わない。
【００６４】
また、上記実施形態４では、ＬＥＤ８３について面発光タイプのものを例示したが、点発光タイプのＬＥＤを複数配列させるなどして採用してもよい。さらに、ＬＥＤ８３は、光源の一例に過ぎず、透光層１１の側方からその内部に光を照射できるものであれば、小型の蛍光灯や電球などであっても構わない。
【００６５】
また、上記実施形態４では、装飾プレート８１の模様８７として印刷や塗装によって描画されたストライプ模様を例示したが、これに限らない。模様８７には、ヘアライン模様やシボ模様、幾何学模様、ドット模様などの種々の模様の他、様々な絵柄や図形、文字、記号を採用することが可能である。また、模様８７は、水圧転写やフィルムインサートなどの他の公知の方法によって形成してもよい。
【００６６】
また、上記実施形態３及び４では、装飾プレート７１，８１が透光層１１の外周端面２９，３１に全面で密着しているとしたが、これに限らない。装飾プレート７１，８１と透光層１１の外周端面２９，３１との間には、装飾プレート７１，８１の装飾３７が透光層１１の投影面部４５に映り、装飾３７の像が加飾プレート７の正面側から見える程度であれば、隙間が形成されていてもよい。
【００６７】
また、上記実施形態１〜４では、透光層１１の射影面部４５が湾曲形状であるとしたが、これに限らない。透光層１１の射影面部４５は、装飾部３９に臨む内面を呈し、その装飾部３９に施された装飾３７を映すことができれば、平坦な面であってもよいし、様々な形状の面を採用し得る。
【００６８】
また、上記実施形態１〜４では、基材９の表面に透光層１１が設けられた構成の加飾パネル７を例に挙げて説明したが、これに限らない。基材９は、隠蔽層の一例に過ぎず、加飾パネル７の裏側を隠蔽できるものであればよいので、透光層１１の裏面に対し塗装により遮光性を有する塗膜を隠蔽層として形成してもよい。すなわち、加飾パネル７は、透光層１１とその裏面に設けられた塗膜を備えた構成であっても構わない。
【００６９】
その他、上記実施形態１〜４では、加飾パネル７がインストルメントパネル１に取り付けられたインパネアセンブリ８を例に挙げて説明したが、本発明はこれに限らず、加飾パネルを備えた車両内装品であれば、ドアトリムのスイッチ取付部のパネル類など、その他の車両内装品としても勿論適用することが可能である。
【産業上の利用可能性】
【００７０】
以上説明したように、本発明は、加飾パネルを備えた車両内装品について有用である。
【符号の説明】
【００７１】
１      インストルメントパネル（被取付体）
３      グローブボックス
５      パネル装着部
７      加飾パネル
８      インパネアセンブリ（車両内装品）
９      基材（隠蔽層）
１１    透光層
１３    係合爪
１５    台座部
１７    舌片
１８    スリット
１９    底面部分
２０    係合孔
２１    透光層の表面
２２    外周端面の内面
２３    透光層の外周端面
２５    透光層の裏面
２７    透光層のパネル外周縁面
２９    透光層の上側端面
３１    透光層の下側端面
３３    パネル装着部の上側面
３４    パネル装着部の側面
３５    パネル装着部の下側面
３７    装飾
３９    装飾部
４１    線条凹部
４３    投影面部の内面
４５    投影面部
７１    装飾プレート（装飾模様部）
７２    凹所
７３    基材
７５    模様
８１    装飾プレート（装飾模様部）
８３    ＬＥＤ（光源）
８４    凹所
８５    基材
８７    模様
１０１  模様の像
【図１】
2018069993.tif 000003
【図２】
2018069993.tif 000004
【図３】
2018069993.tif 000005
【図４】
2018069993.tif 000006
【図５】
2018069993.tif 000007
【図６】
2018069993.tif 000008
【図７】
2018069993.tif 000009
【図８】
2018069993.tif 000010
【図９】
2018069993.tif 000011
【図１０】
2018069993.tif 000012